(57)【要約】【課題】損傷貨幣の真偽判定を容易かつ正確に行う。【解決手段】損傷貨幣を含む有価媒体を受け付けて収納する有価媒体処理装置であって、損傷貨幣を撮像して画像を取得する画像取得部と、損傷貨幣の種類を入力するための操作部と、貨幣の種類毎に設定された、真偽判定に利用する特徴部の位置情報を含む特徴画像取得条件が保存された記憶部と、操作部で入力された損傷貨幣の種類に基づいて特徴画像取得条件を参照して、画像取得部によって撮像された画像から、真の貨幣で特徴部を撮像した部分サンプル画像と並べて表示した際に該部分サンプル画像と一致するか否かを目視確認可能な部分画像を取得する制御部とによって構成する。【選択図】  図３
2014178948.tif 000002
【特許請求の範囲】
【請求項１】
損傷貨幣を含む有価媒体を処理する有価媒体処理装置と該有価媒体処理装置に接続された端末とを含む有価媒体処理システムであって、
前記有価媒体処理装置は、
損傷貨幣を撮像する画像取得部と、
前記損傷貨幣の種類を入力するための操作部と、
貨幣の種類毎に設定された、真偽判定に利用する特徴部の位置情報を含む特徴画像取得条件が保存された記憶部と、
前記操作部で入力された前記損傷貨幣の種類に基づいて前記特徴画像取得条件を参照して、前記画像取得部によって撮像した画像から前記特徴部の特徴を目視確認可能な部分画像を取得する制御部と
を備え、
前記端末は、
前記損傷貨幣の特徴部を撮像した前記部分画像を表示するための表示部
を備えることを特徴とする有価媒体処理システム。
【請求項２】
前記端末では、前記表示部に前記部分画像と、真の貨幣で前記特徴部を撮像した部分サンプル画像とを比較可能に表示することを特徴とする請求項１に記載の有価媒体処理システム。
【請求項３】
前記特徴画像取得条件には、貨幣の種類毎に、前記特徴部の特徴を目視確認可能な画像を取得するための撮像条件が含まれており、
前記制御部は、前記画像取得部を制御して、前記撮像条件に基づいて前記損傷貨幣の画像を取得することを特徴とする請求項１又は２に記載の有価媒体処理システム。
【請求項４】
前記損傷貨幣から取得される前記部分画像は、前記特徴部の特徴を目視確認可能に撮像された拡大画像、透過画像、赤外光画像及び紫外光画像のうち少なくともいずれか１つを含むことを特徴とする請求項１、２又は３に記載の有価媒体処理システム。
【請求項５】
前記端末は、前記有価媒体処理装置を操作する操作者とは別の操作者に割り当てられた専用端末であることを特徴とする請求項１〜４のいずれか１項に記載の有価媒体処理システム。
【請求項６】
前記端末は、前記有価媒体処理装置を操作する操作者を管理する上位者に割り当てられた上位者端末であり、
前記有価媒体処理装置で取得される前記部分画像は閲覧制限されており前記上位者端末でのみ閲覧可能に表示されることを特徴とする請求項１〜５のいずれか１項に記載の有価媒体処理システム。
【請求項７】
前記有価媒体処理装置では、前記制御部が、特徴部を目視確認可能な解像度で前記部分画像を取得すると共に、前記損傷貨幣全体を前記部分画像よりも低解像度で撮像した全体画像を取得することを特徴とする請求項１〜６のいずれか１項に記載の有価媒体処理システム。
【請求項８】
１枚の損傷貨幣から取得された複数の部分画像が前記損傷貨幣と関連付けて管理されることを特徴とする請求項１〜６のいずれか１項に記載の有価媒体処理システム。
【請求項９】
損傷貨幣を含む有価媒体を受け付けて収納する有価媒体処理装置であって、
損傷貨幣を撮像して画像を取得する画像取得部と、
前記損傷貨幣の種類を入力するための操作部と、
貨幣の種類毎に設定された、真偽判定に利用する特徴部の位置情報を含む特徴画像取得条件が保存された記憶部と、
前記操作部で入力された前記損傷貨幣の種類に基づいて前記特徴画像取得条件を参照して、前記画像取得部によって撮像した画像から、前記特徴部の特徴を目視確認可能な部分画像を取得する制御部と
を備えることを特徴とする有価媒体処理装置。
【請求項１０】
損傷貨幣を含む有価媒体を処理する有価媒体処理装置で行う有価媒体処理方法であって、
前記損傷貨幣の種類の入力を受け付ける種類受付工程と、
前記種類受付工程で受け付けた損傷貨幣の種類に基づいて、該種類の貨幣で真偽判定に利用する特徴部を特定する特徴部特定工程と、
前記損傷貨幣を撮像した画像から、前記特徴部の特徴を目視確認可能な部分画像を取得する部分画像取得工程と
を含んだことを特徴とする有価媒体処理方法。
【発明の詳細な説明】
【技術分野】
【０００１】
この発明は、損傷貨幣を処理する有価媒体処理装置、有価媒体処理システム及び有価媒体処理方法に関し、特に、損傷貨幣を撮像した画像を目視確認しながら真偽判定を行うための有価媒体処理装置、有価媒体処理システム及び有価媒体処理方法に関する。
【背景技術】
【０００２】
従来、銀行等の金融機関では、顧客から受け付けた入出金業務や、行内で取り扱う貨幣を管理するための出納業務等、様々な業務が行われている。これら金融機関で行われる業務は、安全性、確実性及び省力化の観点から、人手を介さず貨幣処理装置を利用して行われることが多くなっている。貨幣処理装置は、例えば、硬貨、紙幣、小切手等の有価証券（以下「有価媒体」と総称する）の入出金処理や管理等、有価媒体に係る種々の処理を実行する機能を有している。貨幣処理装置を利用することにより、例えば、紙幣の金種を自動的に識別して合計金額を算出したり、識別結果に基づいて各紙幣を金種別に所定収納部に収納して管理したり、収納されている紙幣の中から指定された金種及び金額に対応する紙幣を出金したりすることができる。
【０００３】
金融機関では、顧客から、破れた紙幣や一部が欠損した紙幣等を受け取る場合がある。損傷や汚れの程度が甚だしく、貨幣処理装置に投入しても正常に搬送できない紙幣や、金種等を識別することができない紙幣は、貨幣処理装置に投入されることなく、装置近傍に備えられたポスト（現外ボックス）に収納される。ポストに収納されている紙幣の金種等の情報は、行員によって目視確認され、貨幣処理装置に手入力される（例えば特許文献１参照）。
【先行技術文献】
【特許文献】
【０００４】
【特許文献１】特開２００３−１５０７９３号公報
【発明の概要】
【発明が解決しようとする課題】
【０００５】
しかしながら、上記従来技術によれば、損傷した貨幣に関して入力された情報が正確ではないために損傷貨幣を厳正かつ効率よく処理できない可能性がある。具体的には、損傷貨幣の金種や真偽に係る情報は、この損傷貨幣を目視確認した行員によって貨幣処理装置に手入力されるが、欠損や汚れ等、損傷貨幣の状態によって、行員が判断を誤る可能性がある。
【０００６】
特に、真の貨幣であるか否かを判定する真偽判定では、偽造貨幣は真の貨幣に見えるように偽造されるものであるために、目視確認により正確に判定する作業は困難なものとなる。例えば、紙幣では、透かしをはじめとする様々な偽造防止技術が利用されているが、目視ではその特徴を簡単に確認できないものも多い。また、損傷貨幣では、特徴部の欠損や汚れによって真偽判定が困難になる場合がある。また、入金処理を迅速かつ正確に行うことが求められる金融機関では、損傷貨幣の真偽を判定するために時間をかけることができないという問題がある。
【０００７】
本発明は、上述した従来技術による問題点を解消するためになされたもので、損傷貨幣を撮像した画像を利用して、短時間で容易かつ正確に真偽判定を行うことを可能とする有価媒体処理装置、有価媒体処理システム及び有価媒体処理方法を提供することを目的とする。
【課題を解決するための手段】
【０００８】
上述した課題を解決し、目的を達成するために、本発明は、損傷貨幣を含む有価媒体を処理する有価媒体処理装置と該有価媒体処理装置に接続された端末とを含む有価媒体処理システムであって、前記有価媒体処理装置は、損傷貨幣を撮像する画像取得部と、前記損傷貨幣の種類を入力するための操作部と、貨幣の種類毎に設定された、真偽判定に利用する特徴部の位置情報を含む特徴画像取得条件が保存された記憶部と、前記操作部で入力された前記損傷貨幣の種類に基づいて前記特徴画像取得条件を参照して、前記画像取得部によって撮像した画像から前記特徴部の特徴を目視確認可能な部分画像を取得する制御部とを備え、前記端末は、前記損傷貨幣の特徴部を撮像した前記部分画像を表示するための表示部を備えることを特徴とする。
【０００９】
また、本発明は、上記発明において、前記端末では、前記表示部に前記部分画像と、真の貨幣で前記特徴部を撮像した部分サンプル画像とを比較可能に表示することを特徴とする。
【００１０】
また、本発明は、上記発明において、前記特徴画像取得条件には、貨幣の種類毎に、前記特徴部の特徴を目視確認可能な画像を取得するための撮像条件が含まれており、前記制御部は、前記画像取得部を制御して、前記撮像条件に基づいて前記損傷貨幣の画像を取得することを特徴とする。
【００１１】
また、本発明は、上記発明において、前記損傷貨幣から取得される前記部分画像は、前記特徴部の特徴を目視確認可能に撮像された拡大画像、透過画像、赤外光画像及び紫外光画像のうち少なくともいずれか１つを含むことを特徴とする。
【００１２】
また、本発明は、上記発明において、前記端末は、前記有価媒体処理装置を操作する操作者とは別の操作者に割り当てられた専用端末であることを特徴とする。
【００１３】
また、本発明は、上記発明において、前記端末は、前記有価媒体処理装置を操作する操作者を管理する上位者に割り当てられた上位者端末であり、前記有価媒体処理装置で取得される前記部分画像は閲覧制限されており前記上位者端末でのみ閲覧可能に表示されることを特徴とする。
【００１４】
また、本発明は、上記発明において、前記有価媒体処理装置では、前記制御部が、特徴部を目視確認可能な解像度で前記部分画像を取得すると共に、前記損傷貨幣全体を前記部分画像よりも低解像度で撮像した全体画像を取得することを特徴とする。
【００１５】
また、本発明は、上記発明において、１枚の損傷貨幣から取得された複数の部分画像が前記損傷貨幣と関連付けて管理されることを特徴とする。
【００１６】
また、本発明は、損傷貨幣を含む有価媒体を受け付けて収納する有価媒体処理装置であって、損傷貨幣を撮像して画像を取得する画像取得部と、前記損傷貨幣の種類を入力するための操作部と、貨幣の種類毎に設定された、真偽判定に利用する特徴部の位置情報を含む特徴画像取得条件が保存された記憶部と、前記操作部で入力された前記損傷貨幣の種類に基づいて前記特徴画像取得条件を参照して、前記画像取得部によって撮像した画像から、前記特徴部の特徴を目視確認可能な部分画像を取得する制御部とを備えることを特徴とする。
【００１７】
また、本発明は、損傷貨幣を含む有価媒体を処理する有価媒体処理装置で行う有価媒体処理方法であって、前記損傷貨幣の種類の入力を受け付ける種類受付工程と、前記種類受付工程で受け付けた損傷貨幣の種類に基づいて、該種類の貨幣で真偽判定に利用する特徴部を特定する特徴部特定工程と、前記損傷貨幣を撮像した画像から、前記特徴部の特徴を目視確認可能な部分画像を取得する部分画像取得工程とを含んだことを特徴とする。
【発明の効果】
【００１８】
本発明によれば、利用者が有価媒体処理装置に損傷貨幣を投入して該損傷貨幣の種類を入力すると、この種類の貨幣で真偽判定に利用可能な特徴部が、目視確認可能な部分画像として自動的に取得されるので、取得した部分画像を端末上に表示して目視確認することにより容易に真偽判定を行うことができる。
【００１９】
また、本発明によれば、損傷貨幣で特徴部を撮像した部分画像と、真の貨幣で特徴部を撮像して得られる部分サンプル画像とを並べて表示することができるので、両画像が一致するか否かによって損傷貨幣の真偽判定を短時間で容易かつ正確に行うことができる。
【００２０】
また、本発明によれば、撮像条件を変更して、例えば、紙幣で透かしと呼ばれるすき入れ部分では反射画像及び透過画像を取得して透かしの有無を確認したり、所定波長の光で発光する部分では発光する条件で撮像した画像と発光しない条件で撮像した画像とを表示して確認したりすることができるので、短時間で容易かつ正確に真偽判定を行うことができる。
【００２１】
また、本発明によれば、損傷貨幣で利用されている偽造防止技術に基づいて、拡大画像、赤外光画像、紫外光画像等から真偽判定に利用する部分画像を取得することが可能であり、可視光下で目にすることがないような画像である場合も、真の貨幣で取得されるべき部分サンプル画像と並べて表示されるので、両画像を比較して短時間で容易かつ正確に真偽判定を行うことができる。
【００２２】
また、本発明によれば、例えば、有価媒体処理装置で窓口係が損傷貨幣の真偽を確認して入金を行い、端末では窓口係とは別の人物が入金された損傷貨幣の真偽判定を行うことにより、二人の人物によって真偽判定を行うことができるので、損傷貨幣の真偽判定を確実に行うことができる。
【００２３】
また、本発明によれば、例えば、有価媒体処理装置で取得された部分画像を暗号化して、所定の権限を有する上位者のみが閲覧可能な画像とすることによりセキュリティを確保できる。また、信頼のおける上位者により真偽判定が行われるので、損傷券の真偽判定を確実に行うことができる。
【００２４】
また、本発明によれば、特徴部を撮像した部分画像については目視確認可能な高解像度画像で保存して、損傷券全体を撮像した全体画像については低解像度画像で保存することができるので、全ての画像を高解像度画像で保存する場合に比べて、画像の保存に必要なデータ容量を削減することができる。
【００２５】
また、本発明によれば、反射画像や透過画像等の複数の画像から必要な部分領域のみを切り出して、１枚の損傷券から取得された部分画像として関連付けて管理することができるので、全てを全体画像として保存する場合に比べて、画像の保存に必要なデータ容量を削減することができる。
【図面の簡単な説明】
【００２６】
【図１】図１は、有価媒体処理装置を利用して行われる損傷券の処理内容を説明する模式図である。
【図２】図２は、本部及び支店との間で構築される貨幣処理システムの構成例を示すブロック図である。
【図３】図３は、支店内で損傷券を処理する有価媒体処理システムの構成例を示すブロック図である。
【図４】図４は、損傷券管理データベースで管理されている損傷券に関するデータの種類を説明する図である
【図５】図５は、真偽判定補助機能を利用する設定で真偽判定を行う際に表示される画面例を示す図である。
【図６】図６は、損傷券画像として保存される画像データの異なる例を説明する図である。
【図７】図７は、画面上で損傷券の部分画像を確認する際に表示される表示について異なる例を説明する図である。
【図８】図８は、支店及び本部で行われる損傷券の処理について損傷券現物の処理及び損傷券画像の処理の流れを説明するチャート図である。
【発明を実施するための形態】
【００２７】
以下に添付図面を参照して、この発明に係る有価媒体処理装置、有価媒体処理システム及び有価媒体処理方法の好適な実施例を詳細に説明する。本実施形態では、有価媒体処理装置を銀行の支店に設置して、損傷貨幣の入金処理を行う場合を例に説明する。なお、損傷貨幣として硬貨を受け付ける場合も、損傷した紙幣（損傷券）を受け付ける場合と同様に処理を行うことができるので、以下では損傷券を受け付ける場合を例に説明することとする。
【００２８】
まず、本実施形態で有価媒体処理装置による処理対象とされる損傷券と損券の違いについて説明する。銀行では入出金に係る貨幣処理を補助するための貨幣処理装置が利用されており、市場での流通に適さない紙幣が損券として処理されている。具体的には、紙幣としての外形を留めており、貨幣処理装置による識別処理の結果から真の紙幣であることは明らかであるが、傷みの程度から市場流通には適さないと判定された紙幣が損券として処理される。
【００２９】
これに対して、貨幣処理装置で紙幣であると認識することができず、真の紙幣であるか否かの鑑定を行う必要がある紙幣は、損傷券として処理される。例えば、一部が欠損して紙幣としての外形を留めていない紙幣は損傷券として処理される。また、例えば、３片以上に細かく分割された紙幣については、残存面積によって価値が変動するので、価値を判定するための鑑定処理を必要とする損傷券として処理される。また、紙幣に油や糊等の異物が付着して貨幣処理装置に投入できない場合や搬送できない場合にも損傷券として処理される。どのような紙幣を損傷券として受け付けるかについては、例えば、銀行の運用に応じて定められている。
【００３０】
破れたり燃えたりして一部が欠損した紙幣、シュレッダー等でバラバラになった紙幣、紙幣であるか否かを判断することが困難なほど汚れた紙幣、油や糊等が付着した紙幣等、一般に利用されている貨幣処理装置では受付不可能である様々な紙幣が損傷券として処理されるが、以下では、一部が欠損した損傷券を例に説明を行うこととする。
【００３１】
次に、有価媒体処理装置で行われる損傷券処理について説明する。図１は、有価媒体処理装置１を利用して行われる損傷券の処理内容を説明する模式図である。図１（ａ）は、銀行の窓口係が窓口で受け付けた損傷券１００を有価媒体処理装置１に入金する際に行われる処理を示している。また、図１（ｂ）は、同図（ａ）で有価媒体処理装置１に入金された損傷券１００の真偽判定を行う際に表示される画面例を示している。図１（ｃ）は、真偽判定を完了した際に表示される画面例を示している。
【００３２】
銀行の窓口で、顧客から、一部が欠損した損傷券１００を正常貨幣と引き換える依頼がなされると、この依頼を受けた窓口係は、損傷券１００を有価媒体処理装置１に投入する（図１（ａ）Ａ−１）。有価媒体処理装置１では、投入された損傷券１００を撮像した画像と、損傷券１００の券種や価値の判定を補助するための情報とが表示されるので、窓口係は、表示された情報に基づいて損傷券１００の券種や価値等の情報を入力する（Ａ−２）。
【００３３】
紙幣の券種とは紙幣の金種及び新旧に関する種類のことをいい、具体的には、例えば、日本の紙幣では、紙幣の発行時期（Ａ券〜Ｅ券）及び金種を組み合わせて「Ｅ一万円券」というように券種を入力する。
【００３４】
また、紙幣の価値について具体的に説明すると、欠損のない正券の価値は、この紙幣の金種と等価となる。一方、その一部が破れて欠損している損券（長方形の紙幣の形が維持されていないとか穴が開いているような紙幣）については、欠損の程度により価値が金種と等価ではなくなるため、その価値を入力する。一部が破れて欠損している紙幣の価値判断基準は、例えば中央銀行（日本国の場合は日本銀行）によって規定されている。
【００３５】
有価媒体処理装置１は、損傷券１００が投入されると、この損傷券１００の全体を撮像した全体画像１０１を取得して記憶部に保存する（Ａ−３）。また、有価媒体処理装置１は、窓口係によって入力された損傷券１００の券種に基づいて、この券種の真偽判定に利用する部分画像１０２を取得して記憶部に保存する（Ａ−４）。１枚の損傷券１００から、表面及び裏面の２枚の全体画像１０１と、券種に応じた複数枚の部分画像１０２とが取得されて記憶部に保存される。
【００３６】
全体画像１０１は、例えば７５〜１００ｄｐｉの低解像度の画像として保存される。低解像度画像とすることにより、記憶部におけるデータ容量を削減することができる。また、全体画像１０１がプリンタで印刷された場合に、真の紙幣でないことを容易に認識できる粗い画像とすることで画像の悪用を防止することができる。
【００３７】
部分画像１０２は、例えば２００〜２４０ｄｐｉの高解像度の画像として保存される。部分画像１０２は損傷券１００の真偽判定に利用されるため、部分画像１０２に表れる特徴を容易に目視確認できるように高解像度画像とするが、紙幣の一部の領域のみを撮像した画像であるためプリンタで印刷されたとしても悪用されることがない。
【００３８】
損傷券１００上で部分画像１０２とする領域は、予め券種毎に設定されている。具体的には、その券種で利用されている偽造防止技術に基づいて、真偽判定に利用できる部分領域が予め設定されており、この部分領域を撮像した画像を部分画像１０２とする。例えば、日本の一万円札では、透かしと呼ばれるすき入れパターンの他、マイクロ文字、パールインキ、ホログラム、潜像模様、特殊発光インキ等の偽造防止技術が利用されている。これらは、紙幣の券種毎に表面及び裏面の所定領域で利用されているので、損傷券１００の券種を特定した後、表面及び裏面の所定領域を撮像した高解像度画像を部分画像１０２として保存する。なお、部分画像１０２は、偽造防止技術が施された各部分領域の特徴に基づいて、その特徴が目視確認できるように撮像される。
【００３９】
例えば、裸眼での目視が難しいほど小さい文字で印刷されたマイクロ文字では、文字を容易に目視確認できる解像度で撮像した反射画像が部分画像１０２として保存される。また、すき入れパターンでは、すき入れがあることを目視確認できるように反射画像及び透過画像が部分画像１０２として保存される。２枚の画像を１組の部分画像１０２とすることにより、反射画像では透かしにされた図柄を確認できず透過画像で透かしにされた図柄を確認できれば真の紙幣であると判定し、反射画像及び透過画像の両方で透かしにされた図柄を確認できる場合又は両方で図柄を確認できない場合には偽造であると判定することができる。
【００４０】
紫外光等の所定波長域の光を照射すると発光する特殊発光インキでは、特殊発光インキが利用されていることを目視確認できるように、発光していない状態で撮像した画像と、紫外光等を照射して発光した状態で撮像した画像とが１組の部分画像１０２として保存される。紫外光等の所定条件下でのみインキによる図柄の存在を確認できれば真の紙幣であると判定し、条件によらずインキによる図柄を確認できる場合又は条件によらず図柄を確認できない場合には偽造であると判定することができる。
【００４１】
紙幣を傾けると模様が浮かび上がる潜像画像及びパールインキでは、撮像条件を変えて、模様を目視確認できない状態で撮像した画像と、模様を目視確認できる状態で撮像した画像とが１組の部分画像１０２として保存される。同様に、紙幣を傾けると色や模様が変化するホログラムでは、撮像条件を変えて、所定の色及び模様を撮像した画像と、該画像とは異なる色及び／又は模様を撮像した画像とが１組の部分画像１０２として保存される。これらについても、撮像条件を変えて得られた画像の違いから真偽を判定することができる。なお、潜像画像、パールインキ、ホログラムの部分画像１０２は、例えば、装置内で撮像に利用するラインセンサ等のセンサ位置を固定して光源の位置を変更したり、光源の位置を固定してセンサの位置を変更したりすることにより撮像される。
【００４２】
このように、損傷券１００の券種に基づいて、所定の部分領域毎に、この領域での特徴を目視確認できるように撮像された画像が部分画像１０２として保存される。部分画像１０２の撮像条件は、その特徴に応じて予め設定されており、１つの部分領域で１枚の部分画像１０２が撮像される場合の他、反射画像と透過画像、撮像条件を変更した複数画像等、１つの部分領域から複数枚の部分画像１０２が取得される場合もある。
【００４３】
低解像度の全体画像１０１は、損傷券１００を可視光下で撮像した反射画像から取得される。例えば、可視光下で、損傷券１００の全体を高解像度で撮像して、得られた高解像度画像から、必要に応じて、真偽判定に利用する所定領域を部分画像１０２として切り出すと共に、高解像度画像を低解像度画像に変換したものを全体画像１０１とする。
【００４４】
高解像度の部分画像１０２は、損傷券１００の券種で利用される偽造防止技術によって、透過画像である場合や、所定の波長域の光を照射して得られる赤外光画像や紫外光画像の場合もある。例えば、損傷券１００がラインセンサの位置を通過する間に、複数の光源のうち点灯する光源を高速に切り換える交番点灯制御を行うことにより、反射画像、透過画像、赤外光画像、紫外光画像等の複数画像を取得する。また、ラインセンサが複数ある場合には、ラインセンサ毎に、種類の異なる画像を取得してもよい。また、撮像時には、特徴部として必要な部分領域のみを撮像して部分画像１０２としてもよいし、損傷券１００全体を撮像した後、必要な部分領域を切り出して部分画像１０２としてもよい。また、位置が固定されているラインセンサによる撮像位置を損傷券１００が往復するように搬送して複数種類の画像を撮像する態様であっても構わない。装置内で、搬送される損傷券１００の画像を取得する方法は、従来の紙幣処理装置で利用されている技術を利用することができるので詳細な説明は省略する。
【００４５】
こうして、図１（ａ）に示すように取得された低解像度の全体画像１０１及び高解像度の部分画像１０２は、管理番号等によって互いに管理付けられた状態で、有価媒体処理装置１内部又は有価媒体処理装置１に接続されたサーバに保存される。
【００４６】
そして、所定のタイミングで、有価媒体処理装置１に入金された損傷券１００の真偽判定が行われる。具体的には、銀行での入金処理の受付を締め切った後に、窓口係による業務を管理する上位者が、上位者端末上で、窓口係によって当日入金された損傷券１００の真偽判定を行う。
【００４７】
ただし、窓口係が入金処理時に損傷券１００の券種等を入力した後、すなわち図１（ａ）に示す処理完了の直後に、上位者が損傷券１００の真偽判定を行って入金処理を承認してから、窓口係が入金処理を完了する態様であってもよい。有価媒体処理装置１内で全体画像１０１及び部分画像１０２を取得した後であれば、真偽判定を行うタイミングは特に限定されず、銀行毎の運用に応じて設定される。
【００４８】
なお、例えば、窓口係による損傷券１００の入金処理が完了した段階で、損傷券１００と引き換えに、この損傷券１００の価値に相当する正常貨幣が顧客に支払われる。顧客に支払われる正常貨幣は、有価媒体処理装置１内に収納されている出金用の紙幣が繰り出される態様であってもよいし、別の貨幣処理装置から出金された紙幣であっても構わない。有価媒体処理装置１又は別の貨幣処理装置による出金処理は、従来技術を利用して行うことができるので詳細な説明は省略して、以下では、損傷券１００の真偽判定の詳細について説明する。
【００４９】
図１（ｂ）は、上位者が、上位者端末を利用して、損傷券１００の真偽判定を行う際に表示される画面例を示す図である。このように、画面上で上側に損傷券１００から取得された全体画像１０１及び部分画像１０２が表示される。また、その下側に、この券種の真の紙幣全体の全体サンプル画像２０１と、真の紙幣で部分画像１０２に対応する領域を撮像した際に得られる部分サンプル画像２０２とが表示される。また、画面上の全体画像１０１には、部分画像１０２及び部分サンプル画像２０２が、損傷券１００のどの領域であるかを示す枠１０３が表示される。なお、全体画像１０１及び部分画像１０２は、これらが保存された有価媒体処理装置１又はサーバから読み出されて上位者端末上に表示される。
【００５０】
画面上部には、損傷券１００又は損傷券１００を含む入金処理に割り当てられた管理場号が表示され、その右側には損傷券１００の画像を手動切換可能な矢印ボタンが表示される。画面下部には、損傷券１００の表面画像及び裏面画像を手動切換可能なボタンが表示される。また、画面右側には、この損傷券１００で撮像された部分画像１０２の枚数情報が表示されると共に、表示する部分画像１０２を手動切換可能なボタンが表示される。図１（ｂ）の例は、この損傷券１００では表面及び裏面の合計１２箇所で部分画像１０２が取得され、これらのうちＮｏ．１の部分画像１０２が判定対象画像として表示されていることを示している。
【００５１】
上位者は、画面上で、損傷券１００から取得された部分画像１０２と、真の紙幣で観察されるべき部分サンプル画像２０２とを目視確認して、両者が一致するか否かを判定し、一致すれば一致ボタンを押し、一致しなければ不一致ボタンを押す。判定入力がなされると、画面上の表示が自動的に切り換えられて、上位者が次に確認すべき部分画像１０２と、この部分画像１０２に対応する部分サンプル画像２０２とが表示される。
【００５２】
こうして、上位者が、画面上に順次表示される部分画像１０２及び部分サンプル画像２０２を目視確認して、両者が一致するか否かを判定入力する処理を終えると、図１（ｃ）に示すように、損傷券１００の真偽判定結果を示す画面が表示される。図１（ｃ）左図は、全ての部分画像１０２の判定結果が、損傷券１００が真券であると判定された場合の画面例である。また、図１（ｃ）右図は、１２箇所で取得された部分画像１０２のうち、１箇所の部分画像１０２で偽券であると判定された場合の画面例である。
【００５３】
上位者は、画面に表示された真偽判定結果を確認すると、画面上の完了ボタンを押して真偽判定処理を完了する。なお、損傷券１００を偽券と判定した部分画像１０２がある場合には、戻るボタンを押せば、不一致と判定した部分画像１０２及び部分サンプル画像２０２の表示画面に戻って、再確認できるようになっている。そして、再確認の結果に応じて、判定結果を修正することもできる。
【００５４】
有価媒体処理装置１で行う真偽判定は、目視確認による判定である上に、破れや汚れ等のある損傷券１００の判定であるため、判定を誤る可能性もある。これを考慮して、常に、全ての部分画像１０２が判定される。例えば、全ての判定を終えたときに、１２箇所のうち１箇所だけで不一致と判定していた場合には、この１箇所を再確認することにより、真偽判定をより正確なものとすることができる。
【００５５】
ただし、真偽判定の方法は設定により変更できるようになっている。具体的には、真偽判定を進めるうちに、１箇所でも、部分画像１０２と部分サンプル画像２０２とが不一致とされた場合には、残りの部分画像１０２を確認することなく、真偽判定を終了する設定とすることもできる。
【００５６】
例えば、窓口での業務時間内に窓口係による入金処理を承認するために真偽判定を行う場合には、時間を優先して、１箇所で不一致と判定されれば真偽判定を終了するように設定し、窓口業務完了後に真偽判定を行う場合には、判定精度を優先して全ての箇所で真偽判定を行うように設定する。
【００５７】
なお、低解像度の全体画像１０１、高解像度の部分画像１０２、各部分画像１０２での判定結果、損傷券１００の真偽判定結果等の情報は、管理番号によって互いに関連付けられた状態で、有価媒体処理装置１又はサーバに保存される。
【００５８】
次に、有価媒体処理装置１を含むシステムの構成例について説明する。図２は、銀行の本部５２及び支店５１との間で構築される貨幣処理システムの構成例を示すブロック図である。
【００５９】
本部５２内では、支店５１から損傷券１００の現物が移送されてきた後、支店５１から損傷券１００の全体画像１０１及び部分画像１０２等のデータを受信して管理するための本部サーバ５６と、本部サーバ５６に接続された本部端末５４と、損傷券１００に関するデータを本部端末５４に入力するためのバーコードリーダ５３とが設置されている。なお、損傷券１００の移送の詳細については後述する。
【００６０】
支店５１内では、各窓口係が担当する窓口で利用する窓口端末９と、上位者が利用する上位者端末８と、損傷券１００を支店５１から本部５２へ移送する際に利用されるバーコードプリンタ７と、窓口後方で窓口係による業務を支援するための貨幣処理システム５と、支店５１内での各種データを管理すると共に本部５２との間でネットワーク５０を介したデータの送受信を実現するための支店サーバ６とが通信可能に接続されている。貨幣処理システム５は日本で出納機と呼ばれる装置で、本実施形態で説明する有価媒体処理装置１の他に、紙幣及び紙幣束の入出金を行うための紙幣処理装置２と、硬貨及び包装硬貨の入出金を行うための硬貨処理装置３と、小切手や手形等を処理するための小切手・手形処理装置４とを含んでいる。
【００６１】
本部端末５４、本部サーバ５６、支店サーバ６及び上位者端末８については、従来のコンピュータ装置を利用して構成されるが、その機能及び動作については後述する。貨幣処理システム５とこれを構成する各装置２〜４は出納機として知られており、貨幣処理システム５を利用するための窓口端末９を含め、各部の機能及び動作については従来技術を利用することができるので詳細な説明は省略し、以下では、本実施形態における特徴部分について説明を続けることとする。
【００６２】
図３は、図１に示した損傷券１００の処理を実現する有価媒体処理システムの構成例を示すブロック図である。図１に示す損傷券１００の処理は、互いにデータ通信可能に接続された有価媒体処理装置１、支店サーバ６及び上位者端末８を利用して行われる。
【００６３】
有価媒体処理装置１は、各部の動作を制御する制御部１０と、制御部１０で利用される情報や制御部１０によって取得された全体画像１０１及び部分画像１０２等が保存される記憶部２０と、損傷券１００を含む有価媒体の搬送及び収納を行う紙葉類搬送収納部３０と、制御部１０への指示操作及び制御部１０による各種情報の表示に利用される操作表示部４０とを有している。
【００６４】
制御部１０は、損傷券１００の全体画像１０１及び部分画像１０２を取得するための画像取得部１１と、紙幣の券種等を識別するための紙幣識別部１２と、画像取得部１１で取得した画像に係る画像処理を行うための画像処理部１３と、損傷券１００に関する各種のデータを管理するためのデータ管理部１４とを有している。
【００６５】
画像取得部１１は、ラインセンサ等を有し、有価媒体処理装置１の投入口から投入されて紙葉類搬送収納部３０によって搬送される損傷券１００の高解像度画像を取得する機能を有する。具体的には、部分画像１０２の種類に応じて各種画像を取得する機能を有している。例えば、赤外光や紫外光等、所定波長の光を照射して、反射画像及び透過画像を取得する。
【００６６】
損傷券１００にすき入れが含まれる場合には、反射画像及び透過画像の部分画像１０２が取得される。また、損傷券１００に、潜像画像、パールインキ、ホログラム等が含まれる場合には、これらを確認可能な画像が取得される。具体的には、位置が固定されたラインセンサに対して、異なる２つの方向から排他的に光を照射して損傷券１００を撮像することにより、所定の色や模様が表れる画像と、これとは異なる色や模様が表れる画像とを取得する。例えば、パールインキによる模様や潜像画像が観察される画像と、観察されない画像とを撮像して部分画像１０２とする。同様に、ホログラムにより、ある模様が観察される画像と、これとは異なる模様が観察される画像とを撮像して部分画像１０２とする。
【００６７】
紙幣識別部１２は、画像取得部１１で取得した画像から特徴を抽出して紙幣の券種を識別する機能を有する。本実施形態では、窓口係が損傷券１００の券種を入力する例を示すが、損傷券１００の券種情報の取得方法がこれに限定されるものではなく、紙幣識別部１２による損傷券１００の券種識別が可能である場合には、紙幣識別部１２による識別結果を利用してもよい。
【００６８】
画像処理部１３は、画像取得部１１によって取得された損傷券１００の高解像度画像から、所定領域の部分画像１０２を切り出したり、解像度を変換して低解像度の全体画像１０１を生成したりする機能を有する。
【００６９】
データ管理部１４は、損傷券１００から取得された低解像度の全体画像１０１及び高解像度の部分画像１０２と、損傷券１００について入力された券種や価値等の各種情報とを管理番号により関連付けて管理する機能を有する。
【００７０】
記憶部２０は、半導体メモリやハードディスクによって構成される記憶装置で、内部に、特徴画像取得条件２１と、損傷券管理データ２２とが保存される。損傷券管理データ２２には、損傷券１００の全体画像１０１及び部分画像１０２を含む画像データ２２ａと、損傷券１００の券種や価値等の情報を含む損傷券データ２２ｂとが含まれる。
【００７１】
特徴画像取得条件２１には、券種毎に、損傷券１００から全体画像１０１及び部分画像１０２を取得するための各種条件に関する情報が含まれる。例えば、特徴画像取得条件２１に含まれる撮像条件に基づいて画像取得部１１による損傷券１００の撮像が行われる。また、特徴画像取得条件２１には、券種別に、どの領域を部分画像１０２として切り出すかを示す特徴部の位置情報が含まれており、この情報に基づいて、撮像された各画像から各部分画像１０２が切り出される。例えば、すき入れであれば、撮像条件に基づいてすき入れの領域を含む反射画像及び透過画像が撮像されて、各画像からすき入れに対応する部分領域が部分画像１０２として切り出される。また、例えば、潜像画像であれば、撮像条件に基づいて潜像が写り込む条件と潜像が写り込まない条件で撮像が行われて、各画像から潜像画像に対応する部分領域が部分画像１０２として切り出される。
【００７２】
紙葉類搬送収納部３０は、有価媒体処理装置１の投入口に投入された損傷券１００を撮像するための搬送、損傷券１００を所定収納部に収納するための搬送、収納部に収納された損傷券１００を投出口から投出するための搬送等を行う。また、紙葉類搬送収納部３０は、一時保留部３１及び紙幣収納部３２を有する。投入口から投入された損傷券１００は、画像取得部１１により撮像された後、一時保留部３１に一時保留される。そして、損傷券１００の券種や価値等の損傷券データが入力されて入金処理が完了すると、一時保留部３１に収納された損傷券１００が繰り出されて、所定の紙幣収納部３２に収納される。なお、損傷券１００は、損傷度合いによって、専用のキャリアシートを利用して装置内に投入される。キャリアシートは一部が接合された透明な２枚のシートによって形成されており、これらのシートの間に損傷券１００を挟んだ状態で、このキャリアシートを装置に投入することにより、正常な紙幣と同様に損傷券１００を搬送することができる。
【００７３】
操作表示部４０は、タッチパネル式の液晶表示装置等から成り、各種の情報入力及び画面上への情報表示を行う機能を有する。窓口係が有価媒体処理装置１に損傷券１００を投入すると、損傷券１００を撮像した画像と、損傷券１００の券種及び価値を判定するための補助情報とが操作表示部４０に表示される。窓口係は、操作表示部４０に表示された情報に基づいて、損傷券１００の券種や価値等を入力することができる。
【００７４】
有価媒体処理装置１での損傷券１００の入金処理が完了すると、全体画像１０１及び部分画像１０２を含む画像データ２２ａと、券種及び価値を含む損傷券データ２２ｂとが、支店サーバ６に送信される。
【００７５】
支店サーバ６では、真偽判定用データベース１２１と、損傷券管理データベース１２２とが管理されている。真偽判定用データベース１２１では、各券種別に、真の紙幣から取得される全体サンプル画像２０１及び部分サンプル画像２０２が管理されている。
【００７６】
また、損傷券管理データベース１２２では、有価媒体処理装置１から受信したデータを蓄積した画像データ１２２ａ及び損傷券データ１２２ｂと、上位者端末８で行われた真偽判定結果が登録された真偽判定データ１２２ｃとが管理されている。
【００７７】
図４は、画像データ１２２ａ及び損傷券データ１２２ｂとして管理されるデータの種類を示す図である。画像データ１２２ａ及び損傷券データ１２２ｂは、管理番号によって関連付けて管理されている。
【００７８】
損傷券データ１２２ｂには、有価媒体処理装置１で入力された券種情報及び価値情報と、上位者端末８で入力された損傷券１００の真偽判定結果と、処理履歴とが含まれる。処理履歴としては、例えば、有価媒体処理装置１を利用して損傷券１００の処理を行った窓口係の識別情報（窓口係ＩＤ）及び処理が行われた日付と、上位者端末８を利用して損傷券１００の真偽判定を行った上位者の識別情報（上位者ＩＤ）及び処理が行われた日付とが保存される。有価媒体処理装置１では、装置の利用開始時に利用者認証が行われるようになっており、この認証で得られた情報から窓口係の識別情報が取得される。また、上位者端末８は各上位者に個別に割り当てられているので、支店サーバ６と上位者端末８との間で行われる通信時に、上位者端末８を特定することにより上位者の識別情報を取得する。
【００７９】
画像データ１２２ａには、低解像度の全体画像１０１と、高解像度の部分画像１０２とが含まれる。低解像度の全体画像１０１は、例えば、可視光による反射画像である。また、高解像の部分画像１０２は、券種別に設定された特徴部を撮像した画像で、紫外光や赤外光等の所定波長の光を照射して撮像した反射画像及び透過画像の他、光源又は撮像センサの位置を変更して撮像した反射画像及び透過画像が含まれる。
【００８０】
上位者端末８は、コンピュータ装置によって構成され、制御部１１０及び操作表示部１４０を有している。上位者端末８で損傷券１００の真偽判定を行う際には、制御部１１０と支店サーバ６との間でデータ通信が行われ、損傷券管理データベース１２２で管理されている全体画像１０１と、この全体画像１０１に関連付けて保存されている全ての部分画像１０２とを操作表示部１４０に表示することができる。また、同様に、制御部１１０は、支店サーバ６の真偽判定用データベース１２１で管理されている全体サンプル画像２０１と、この全体サンプル画像２０１に関連付けて保存されている全ての部分サンプル画像２０２とを操作表示部１４０に表示することができる。このとき、制御部１１０は、部分画像１０２と部分サンプル画像２０２との対応を認識して、対応する部分画像１０２及び部分サンプル画像２０２を並べて表示する。また、上位者端末８では、操作表示部１４０により、部分画像１０２と部分サンプル画像２０２とが一致するか否かを示す判定結果を入力することができる。以上の機能により、上位者は、上位者端末８を利用して、図１（ｂ）及び（ｃ）を参照しながら説明したように、目視確認による損傷券１００の真偽判定を行うことができる。
【００８１】
上位者端末８で真偽判定が行われると、各部分画像１０２について判定された各判定結果が上位者端末８から支店サーバ６に送信されて真偽判定データ１２２ｃに登録される。また、損傷券１００の真偽を判定した判定結果は、損傷券データ１２２ｂにも登録される。損傷券１００に関する券種、価値、真偽判定結果を必要とする場合には損傷券データ１２２ｂが参照され、各部分画像１０２について個別に判定された判定結果を確認したい場合には真偽判定データ１２２ｃが参照される。
【００８２】
上位者端末８は、上位者が行う真偽判定を補助する機能を有しており、設定により、この補助機能を利用できるようになっている。補助機能を利用する設定では、上位者端末８の制御部１１０が、損傷券１００から取得された部分画像１０２と、これに対応する部分サンプル画像２０２との間で、パターンマッチング技術等を利用した画像照合処理を実行する。そして、両画像の一致度を画面上に表示する。
【００８３】
図５は、補助機能を利用する設定で真偽判定を行う際の画面例を示す図である。有価媒体処理装置１では、透かしとして知られるすき入れのある領域では、すき入れがあることを目視確認できるように、透過画像及び反射画像が取得される。そして、図５に示すように、すき入れが含まれる領域１０３の真偽判定時には、画面上側に損傷券１００から取得された透過画像１０２ａ及び反射画像１０２ｂが表示され、その下に、対応する部分サンプル画像である透過画像２０２ａ及び反射画像２０２ｂが表示される。このとき、対応する上下の画像が一致するか否かを判定するための補助情報として、両画像の間に一致度を示す情報２０３が表示される。上位者は、上下の画像を目視確認する際に、その間に表示された補助情報を参考にすることができる。
【００８４】
なお、損傷券１００全体を撮像した低解像度の全体画像１０１と、真偽判定に利用する特徴部を撮像した高解像度の部分画像１０２とを保存する態様を示したが、画像の保存方法がこれに限定されるものではない。例えば、図６に示すように、低解像度の全体画像１０１に、高解像度の部分画像１０２を合成した１枚の画像３０１として保存しても構わない。この場合、上位者端末８で真偽判定を行う際には、この合成画像３０１から、部分画像１０２に対応する部分領域を拡大して表示すればよい。
【００８５】
また、上位者端末８で真偽判定を行う際の画面表示についても、図１及び図５に示すように、全体画像１０１と、部分画像１０２とを表示する態様に限定されるものではない。例えば、上位者端末８では、全体画像１０１及び全体サンプル画像２０１を表示せず、部分画像１０２及び部分サンプル画像２０２のみを表示する態様であってもよい。
【００８６】
また、上位者端末８では、損傷券１００の全体画像１０１に代えて、図７に示す画像４０１を表示する態様であっても構わない。図７に示す画像４０１は、部分画像１０２を取得した領域のみを残して、他の領域を単色で塗り潰した画像であるため、確認すべき部分画像１０２の位置及び内容を容易に認識することができる。なお、上位者端末８への表示だけではなく、支店サーバ６に保存する画像を、図７に示す画像４０１とすれば、部分画像１０２以外の領域では元画像の画素情報が不要となるので、画像の保存に必要なデータ容量を削減することができる。また、図６及び図７に示す画像では複数の部分画像１０２が１枚の画像にまとめられるので、複数の部分画像１０２を関連付けて保存する必要がなく画像の管理が容易となる。
【００８７】
次に、支店５１と本部５２とを含む貨幣処理システムで行われる損傷券１００の処理の流れについて説明する。図８は、支店５１及び本部５２で行われる処理の概要を説明するための図である。なお、図８では、全体画像１０１及び部分画像１０２を含む画像データに係る処理と、損傷券１００の現物について行われる処理とを示している。
【００８８】
まず、窓口係が、損傷券１００の現物を有価媒体処理装置１に投入して処理を開始する（ステップＳ１１）。有価媒体処理装置１では、画像取得部１１によって損傷券１００が撮像されて、撮像された画像から画像処理部１３による特徴部の切り出しや解像度変換が行われて、全体画像１０１及び部分画像１０２が取得される（ステップＳ１２）。全体画像１０１及び部分画像１０２は、画像データ２２ａとして記憶部２０に保存される。
【００８９】
損傷券１００が一時保留部３１に保管された状態で、損傷券画像等の情報が操作表示部４０に表示されると、これを確認した窓口係は、操作表示部４０を操作して損傷券１００の券種や価値等の損傷券データを入力する（ステップＳ１３）。入力された損傷券データ２２ｂは、損傷券管理データ２２として記憶部２０に保存される。窓口係が、必要なデータを入力して、損傷券１００の入金処理を完了すると、一時保留部３１に保存されていた損傷券１００が繰り出されて、この損傷券１００に割り当てられた所定の紙幣収納部３２に収納される（ステップＳ１４）。
【００９０】
有価媒体処理装置１での損傷券入金処理が完了すると、記憶部２０に保存された画像データ２２ａが支店サーバ６へ送信されて（ステップＳ１５）、損傷券管理データベース１２２の画像データ１２２ａに登録される（ステップＳ２０）。また、損傷券データ２２ｂについても、同様に、有価媒体処理装置１から支店サーバ６へ送信されて、損傷券管理データベース１２２の損傷券データ１２２ｂに登録される。
【００９１】
損傷券１００の入金処理完了後、上位者端末８では、損傷券１００の真偽判定処理が開始される。まず、上位者端末８の制御部１１０が、支店サーバ６から、損傷券管理データベース１２２に登録された損傷券１００の全体画像１０１及び部分画像１０２と、真偽判定用データベース１２１に登録されている損傷券１００に対応する全体サンプル画像２０１及び部分サンプル画像２０２とを受信して、操作表示部１４０に表示する（ステップＳ３１）。上位者は、操作表示部１４０に表示された部分画像１０２及び部分サンプル画像２０２を比較して両者が一致するか否かを判定する処理を行う（ステップＳ３２）。上位者による各部分画像１０２の判定処理の結果は、上位者端末８から支店サーバ６に送信されて、損傷券管理データベース１２２の真偽判定データ１２２ｃに登録される。また、各部分画像１０２の判定結果に基づく損傷券１００の真偽判定結果は、支店サーバ６の損傷券データ１２２ｂにも登録される。
【００９２】
上位者によって、損傷券１００が真券であると判定された後、さらに損傷券１００の価値等についての確認作業が行われて、損傷券入金処理に対する上位者の承認処理が完了する。一方、損傷券１００が偽券であると判定された場合には、損傷券１００の現物や、窓口係によって入力された券種等を確認して、必要に応じて修正する処理が行われ、改めて上位者による承認が行われることになる。
【００９３】
そして、上位者によって承認された損傷券１００の現物は、所定のタイミングで、有価媒体処理装置１から回収されて（ステップＳ４１）、本部５２へ移送される。このとき、バーコードプリンタ７で、回収される損傷券１００を特定する管理番号が含まれるバーコードが印刷される（ステップＳ４２）。
【００９４】
支店５１で回収された損傷券１００の現物は、バーコードプリンタ７で印刷されたバーコードと共に、支店５１から本部５２へ移送されて、本部５２での受付処理が開始される。本部５２では、損傷券１００を受け付ける際に、バーコードリーダ５３によって、損傷券１００と共に持ち込まれたバーコードが読み取られて、このバーコードに含まれる管理番号等の情報が本部端末５４へ入力される（ステップＳ５１）。その後、本部５２では、損傷券１００を確認して、その価値に相当する市場流通可能な紙幣への交換等、損傷券現物に関する処理が行われる（ステップＳ５２）。このとき、本部５２では、バーコードから読み取った管理番号を利用して、損傷券１００の券種や価値が登録された損傷券データ１２２ｂ等を支店サーバ６から受信して利用することもできる。こうして、本部５２での損傷券現物の処理が完了する。
【００９５】
損傷券１００の現物が処理される一方で、本部サーバ５６では、バーコードから読み取った管理番号を利用して、損傷券１００の全体画像１０１及び部分画像１０２を受信する処理が開始される。まず、本部サーバ５６が、支店サーバ６へ向けて、管理番号と共に、損傷券１００に関連する画像データを要求する信号を送信する（ステップＳ６１）。
【００９６】
管理番号及び画像要求信号を受信した支店サーバ６は、受信した管理番号に基づいて、損傷券管理データベース１２２から、画像データ１２２ａとして管理する全体画像１０１及び部分画像１０２を読み出して（ステップＳ６２）、本部サーバ５６へ送信する（ステップＳ６３）。
【００９７】
本部サーバ５６は、支店サーバ６から受信した全体画像１０１及び部分画像１０２を内部に保存すると共に（ステップＳ６４）、保存した画像が正常であるか否かを検証する（ステップＳ６５）。検証の結果、保存した画像データが破損している場合には、本部サーバ５６は、支店サーバ６に対して、破損している画像の再送信を要求する。そして、全ての画像が正常に保存できたことが検証されるまで、この処理（ステップＳ６１〜Ｓ６５）が繰り返される。
【００９８】
本部サーバ５６に保存した全体画像１０１及び部分画像１０２のデータに問題がないことが検証されると、本部サーバ５６は、支店サーバ６へ向けて完了通知信号を送信する（ステップＳ６６）。
【００９９】
支店サーバ６は、本部サーバ５６からの完了通知信号により、損傷券１００に関する全ての画像が本部サーバ５６に正常に保存されたことを認識すると、損傷券管理データベース１２２の画像データ１２２ａから、本部サーバ５６に移動した全ての画像を削除する（ステップＳ７０）。なお、全体画像１０１及び部分画像１０２と同様に、損傷券データ１２２ｂ及び真偽判定データ１２２ｃについても、支店サーバ６から本部サーバ５６への移動が行われる。
【０１００】
このように、損傷券１００を管理する管理番号を含むバーコードを印刷して、損傷券１００の現物と共に移送することで、損傷券１００に係る処理を容易かつ確実に行うことができる。また、損傷券１００の移送に伴い、関連する全体画像１０１及び部分画像１０２等のデータを支店５１から本部５２へ移動することで、損傷券１００の現物を管理する場所に関連するデータが保存された状態とすることができる。同じデータが複数の場所に保存されることがないので、システム全体でのデータ容量を削減できる。また、データを移動する際には、移動先の本部サーバ５６で正常にデータが保存されたことが確認されてから、移動元の支店サーバ６でデータ削除を行うので、通信障害等によりデータが失われることがない。
【０１０１】
損傷券１００の画像は紙幣を撮像した画像であるためセキュリティを考慮した取り扱いをすることが望ましい。このため、例えば、有価媒体処理装置１で損傷券１００を撮像して画像を取得した直後から、各画像データの暗号化を行って、各装置間では、暗号化データを送受信する態様であってもよい。例えば、支店５１で部分画像１０２を参照して真偽判定を行う上位者、本部５２で損傷券１００の処理を担当する担当者等、一定の権限を有する者だけに暗号化された画像データを複合化するためのキーデータを付与して、画像の内容を閲覧確認できるようにすれば、画像データに係るセキュリティを確保することができる。
【０１０２】
なお、本実施形態では、有価媒体処理装置１で取得した部分画像１０２と真の紙幣で取得される部分サンプル画像２０２とを上位者端末８に表示して損傷券１００の真偽判定を行う態様を示したが、真偽判定を行う端末が上位者端末８に限定されるものではない。例えば、有価媒体処理装置１の操作表示部４０を利用して真偽判定を行う態様であってもよいし、支店サーバ６を利用して真偽判定を行う態様であっても構わない。有価媒体処理装置１を利用して真偽判定を行う場合には、記憶部２０の損傷券管理データ２２に画像データ２２ａとして保存された全体画像１０１及び部分画像１０２を利用すればよい。また、全体サンプル画像２０１及び部分サンプル画像２０２を含む真偽判定用データベース１２１についても、支店サーバ６で管理する態様に限らず、上位者端末８又は有価媒体処理装置１内で管理する態様であっても構わない。例えば、真偽判定用データベース１２１を有価媒体処理装置１内で管理すれば、損傷券１００の撮像から真偽判定までの処理全てを有価媒体処理装置１単体で行うことも可能となる。
【０１０３】
上述してきたように、本実施形態に係る有価媒体処理装置１によれば、紙幣の真偽判定に利用可能な特徴部を損傷券１００で高解像度に撮像した部分画像１０２と、これに対応する部分サンプル画像２０２とが端末上に表示されるので、両画像を比較して一致するか否かを目視確認することにより、損傷券１００の真偽を短時間で容易かつ正確に判定することができる。
【０１０４】
また、有価媒体処理装置１では、損傷券１００の券種に基づいて、この券種で真偽判定に利用可能な特徴部が、自動的に、高解像度画像で取得されて保存されるので、取得された特徴部を順に確認することで損傷券１００の真偽を正確かつ迅速に判定することができる。
【０１０５】
また、窓口係が損傷券１００の有価媒体処理装置１に損傷券１００を投入する際に券種や真偽を確認して、その後に上位者が真偽判定を行うので、複数人による判定を経て、損傷券１００の真偽判定を確実なものとすることができる。
【０１０６】
また、真偽判定に利用可能な特徴部のみを高解像度画像で保存するので、全体を高解像度画像で保存する場合に比べて、データ容量を削減することができる。損傷券１００の現物の移動に伴って画像も移動させるので損傷券が管理されている場所のみに画像を保存してシステム全体でのデータ容量を削減することができる。また、画像データを移動する際には、移動先に画像が正常に保存されたことを確認した後に、移動元の画像を削除するので、通信障害等による画像の消失を回避することができる。
【産業上の利用可能性】
【０１０７】
以上のように、本発明は、銀行等の金融機関が、損傷券の真偽判定を行って、損傷券に関連する画像データ等を管理するために有用な技術である。
【符号の説明】
【０１０８】
１  有価媒体処理装置
２  紙幣処理装置
３  硬貨処理装置
４  小切手・手形処理装置
５  貨幣処理システム
６  支店サーバ
７  バーコードプリンタ
８  上位者端末
９  窓口端末
１０、１１０  制御部
１１  画像取得部
１２  紙幣識別部
１３  画像処理部
１４  データ管理部
２０  記憶部
３０  紙葉類搬送収納部
３１  一時保留部
３２  紙幣収納部
４０、１４０  操作表示部
５３  バーコードリーダ
５４  本部端末
５６  本部サーバ
【図１】
2014178948.tif 000003
【図２】
2014178948.tif 000004
【図３】
2014178948.tif 000005
【図４】
2014178948.tif 000006
【図５】
2014178948.tif 000007
【図６】
2014178948.tif 000008
【図７】
2014178948.tif 000009
【図８】
2014178948.tif 000010